(57)【要約】【課題】係止突起と係止アームとの係止状態を目視によって検知することが可能な係止構造を提供する。【解決手段】係止構造９０は、ケース３の開口部３ａを囲む側壁３１に設けられた係止突起３８と、ケース３に収容されるカセットブロック２ｂの側面２７に設けられ、カセットブロック２ｂがケース３に収容されることにより係止突起３８に係止する係止アーム２５と、係止アーム２５から延設された検知棒２６と、を備えている。検知棒２６は、カセットブロック２ｂがケース３に収容された状態で側面２７の開口部３ａ側の端部よりも突出し、かつ、係止突起３８と係止アーム２５とが完全に係止している場合には側面２７と平行になり、係止突起３８と係止アーム２５とが不完全係止している場合には側面２７に対して傾くように構成されている。【選択図】図５
2011234484.tif 000002
【特許請求の範囲】
【請求項１】
ケースの開口部を囲む側壁若しくは仕切り壁、及び前記ケースに収容されるブロック体の側面の一方に設けられた係止突起と、他方に設けられ、前記ブロック体が前記ケースに収容されることにより前記係止突起に係止する係止アームと、の係止状態を検知可能な係止構造において、
前記係止アームから延設された検知棒を備え、前記検知棒は、前記ブロック体が前記ケースに収容された状態で前記側面の前記開口部側の端部よりも突出し、かつ、前記係止突起と前記係止アームとが完全に係止している場合には前記側面と平行になり、前記係止突起と前記係止アームとが不完全係止している場合には前記側面に対して傾くように構成されている
ことを特徴とする係止構造。
【請求項２】
前記側壁に前記係止突起または前記係止アームが設けられ、かつ、
前記側壁に、当該側壁の前記開口部側の縁から凹に形成され、前記ケースの外側から前記検知棒を視認可能にした切り欠きが設けられている
ことを特徴とする請求項１に記載の係止構造。
【発明の詳細な説明】
【技術分野】
【０００１】
本発明は、ケースとブロック体とに設けられた係止突起と係止アームとの係止構造に関するものである。
【背景技術】
【０００２】
自動車には多種多様な電子機器が搭載されている。これら多種多様な電子機器に電力供給や信号伝送を行うために、前記自動車には、電気接続箱が配置されている。この電気接続箱は、様々な構成のものが用いられているが、例えば、ケースと、複数の電気部品が装着されて前記ケースに収容されるブロック体としてのカセットブロックと、を備えた電気接続箱が知られている（特許文献１を参照。）。図９は、従来の電気接続箱のケースとカセットブロックとに設けられた係止突起と係止アームとの係止構造を示す断面図である。
【０００３】
図９に示す電気接続箱２０１は、合成樹脂製のケース２０３と、ケース２０３の開口部２０３ａを覆うカバー（不図示）と、複数の電気部品２１８が装着されてケース２０３に収容される合成樹脂製のカセットブロック２０２と、ケース２０３とカセットブロック２０２とを固定する係止構造２９０と、を備えている。
【０００４】
上記ケース２０３は、底壁２３０と、この底壁２３０の外縁から矢印Ｙ方向に立設した複数の側壁２３１（１つのみ示す。）と、により箱状に形成されている。また、前記「開口部２０３ａ」は、複数の側壁２３１の底壁２３０から離れた側の縁に囲まれる空間を意味する。
【０００５】
上記係止構造２９０は、ケース２０３の側壁２３１に設けられた係止突起２３８と、カセットブロック２０２の側面２２７に設けられ、カセットブロック２０２がケース２０３に収容されることにより係止突起２３８に係止する係止アーム２２５と、を備えている。また、係止アーム２２５は、カセットブロック２０２の側面２２７から上面２２３側に片持ち板状に延びたアーム部２２５ａと、アーム部２２５の先端から突出し、係止突起２３８に引っ掛かる、即ち係止する、突起部２２５ｂと、を備えている。
【０００６】
上記構成の電気接続箱２０１は、カセットブロック２０２が開口部２０３ａから矢印Ｙ方向に沿ってケース２０３内に挿入されることにより、アーム部２２５ａが側面２２７側に一旦弾性変形して係止アーム２２５が係止突起２３８を乗り越え、その後、アーム部２２５ａが弾性変形する前の状態に復元することで突起部２２５ｂが係止突起２３８に係止して組立てられる。
【先行技術文献】
【特許文献】
【０００７】
【特許文献１】特開２００７−６８２７５号公報
【発明の概要】
【発明が解決しようとする課題】
【０００８】
しかしながら、上述した係止構造２９０を備えた電気接続箱２０１は、カセットブロック２０２がケース２０３に収容された状態で、係止突起２３８と係止アーム２２５とがケース２０３の奥側に位置付けられていることから、係止突起２３８と係止アーム２２５とが完全に係止しているか、または、不完全係止しているかを目視によって検知することが困難であるという問題があった。
【０００９】
また、上述した問題は、係止構造２９０が電気接続箱２０１以外の物品に用いられる場合にも同様に生じる問題である。
【００１０】
したがって、本発明は、係止突起と係止アームとの係止状態を目視によって検知することが可能な係止構造を提供することを目的とする。
【課題を解決するための手段】
【００１１】
上記目的を達成するために請求項１に記載された発明は、ケースの開口部を囲む側壁若しくは仕切り壁、及び前記ケースに収容されるブロック体の側面の一方に設けられた係止突起と、他方に設けられ、前記ブロック体が前記ケースに収容されることにより前記係止突起に係止する係止アームと、の係止状態を検知可能な係止構造において、前記係止アームから延設された検知棒を備え、前記検知棒は、前記ブロック体が前記ケースに収容された状態で前記側面の前記開口部側の端部よりも突出し、かつ、前記係止突起と前記係止アームとが完全に係止している場合には前記側面と平行になり、前記係止突起と前記係止アームとが不完全係止している場合には前記側面に対して傾くように構成されていることを特徴とする係止構造である。
【００１２】
請求項２に記載された発明は、請求項１に記載された発明において、前記側壁に前記係止突起または前記係止アームが設けられ、かつ、前記側壁に、当該側壁の前記開口部側の縁から凹に形成され、前記ケースの外側から前記検知棒を視認可能にした切り欠きが設けられていることを特徴とするものである。
【発明の効果】
【００１３】
請求項１に記載された発明によれば、前記係止アームから延設された検知棒を備え、前記検知棒は、前記ブロック体が前記ケースに収容された状態で前記側面の前記開口部側の端部よりも突出し、かつ、前記係止突起と前記係止アームとが完全に係止している場合には前記側面と平行になり、前記係止突起と前記係止アームとが不完全係止している場合には前記側面に対して傾くように構成されているので、検知棒の傾き状態を目視することで係止突起と係止アームとの係止状態を検知することが可能な係止構造を提供することができる。
【００１４】
請求項２に記載された発明によれば、前記側壁に前記係止突起または前記係止アームが設けられ、かつ、前記側壁に、当該側壁の前記開口部側の縁から凹に形成され、前記ケースの外側から前記検知棒を視認可能にした切り欠きが設けられているので、検知棒の傾き状態をケースの外側から目視することができ、係止突起と係止アームとの係止状態をさらに容易に検知することが可能になる。
【図面の簡単な説明】
【００１５】
【図１】本発明の一実施の形態にかかる係止構造を備えた電気接続箱を示す斜視図である。
【図２】図１に示された電気接続箱のカバーを取り外した状態を示す平面図である。
【図３】図２中のＡ−Ａ線に沿った断面図である。
【図４】図２中のＢ部の拡大図である。
【図５】図３に示された係止構造の拡大図である。
【図６】図５に示された係止構造の係止突起と係止アームとの係止状態をチェッカーを用いて検知する方法を説明する説明図であり、係止突起と係止アームとが完全に係止している場合の説明図である。
【図７】図５に示された係止構造の係止突起と係止アームとの係止状態をチェッカーを用いて検知する方法を説明する説明図であり、係止突起と係止アームとが不完全係止している場合の説明図である。
【図８】本発明の係止構造の他の例を示す図であり、仕切り壁が設けられたケースを示す斜視図である。
【図９】従来の電気接続箱のケースとカセットブロックとに設けられた係止突起と係止アームとの係止構造を示す断面図である。
【発明を実施するための形態】
【００１６】
本発明の一実施の形態にかかる「係止構造９０」を備えた電気接続箱１を、図１〜図７を参照して説明する。
【００１７】
本発明の電気接続箱１は、自動車に搭載され、前記自動車に搭載された電子機器に対して電力供給及び信号伝達を行うものである。また、本発明では、ジャンクションブロック（ジャンクションボックスとも言う。）、ヒューズブロック（ヒューズボックスとも言う。）、リレーブロック（リレーボックスとも言う。）を、総称して以下電気接続箱と呼ぶ。
【００１８】
上記電気接続箱１は、図１〜図３に示すように、ケース３と、ケース３の開口部３ａを覆う合成樹脂製のカバー４と、ケース３内に引き込まれた電源ケーブル６ａ，６ｂ，６ｃ各々に装着されてケース３を防水するグロメット１３と、その内側にワイヤハーネスの電線１１を通し、ケース３を防水するグロメット１２と、リレー、ヒューズ、ヒュージブルリンク、コネクタ等の複数の電気部品１８及び複数のバスバ８が装着されてケース３内に収容される２つのカセットブロック２ａ，２ｂと、前記ケース３と前記カセットブロック２ｂとを固定する係止構造９０と、を備えている。また、カセットブロック２ｂは、特許請求の範囲に記載した「ブロック体」に相当する。
【００１９】
上記電源ケーブル６ａ，６ｂ，６ｃは、自動車に搭載されたバッテリやオルタネータなどに接続される電線であり、その端末にＬＡ端子５が接続されている。ＬＡ端子５は、金属板にプレス加工等が施されて得られる端子であり、電源ケーブル６ａ，６ｂ，６ｃの芯線を圧着する一対の圧着片５３と、絶縁被覆をかしめる一対のかしめ片５４と、バスバ８の一部に重ねられてバスバ８に電気接続される相手側接続部５１と、が設けられている。
【００２０】
上記ケース３は、合成樹脂で構成され、長方形の板状に形成された底壁３０と、この底壁３０の外縁から矢印Ｙ方向に立設した複数の側壁３１，３２，３３，３４と、により箱状に形成されている。即ち、前記「開口部３ａ」とは、複数の側壁３１，３２，３３，３４の底壁３０から離れた側の縁に囲まれる空間を意味する。また、側壁３１には、ケース３内にワイヤハーネスの電線１１（図２，図３においては図示を省略する。）を引き込むための電線通し口１４と、ケース３内に電源ケーブル６ａ，６ｂ，６ｃを引き込むための電線通し口１５と、が設けられている。
【００２１】
また、図１〜図７中の矢印Ｘは、底壁３０の長手方向、即ちケース３の長手方向、を示しており、図１〜図７中の矢印Ｚは、底壁３０の幅方向、即ちケース３の幅方向、を示している。また、矢印Ｘと矢印Ｚとは直交している。また、図１〜図７の矢印Ｙは、矢印Ｘと矢印Ｚとの双方と直交する方向であり、ケース３の深さ方向を示している。
【００２２】
上記グロメット１３は、ゴム等の弾性材料で構成されている。図２に示すように、グロメット１３には、円筒状に形成され、その内側に電源ケーブル６ａ，６ｂ，６ｃを位置付ける円筒部１３ａと、この円筒部１３ａの軸方向の一端部から鍔状に延びた鍔部１３ｂと、が設けられている。このグロメット１３は、円筒部１３ａ内に電源ケーブル６ａ，６ｂ，６ｃを位置付けた状態で前記電線通し口１５に取り付けられてケース３を防水する。
【００２３】
上記グロメット１２は、図１に示すように、蛇腹筒状に形成されている。このグロメット１２は、その内側に前記ワイヤハーネスの電線１１を通した状態で前記電線通し口１４に取り付けられてケース３を防水する。
【００２４】
上記カセットブロック２ａ，２ｂは、合成樹脂で構成されている。カセットブロック２ａ，２ｂには、ブロック状に形成され、複数の電気部品１８及び複数のバスバ８が装着される装着部２０と、装着部２０の底壁３０側の端部２２から板状に延設され、ケース３の底壁３０に重ねられて、ボルト４１及びナット４２により底壁３０に固定される固定部２１と、が一体に設けられている。また、装着部２０の前記端部２２から離れた底壁３０と対向する面を、本発明では、「上面２３」と呼ぶ。また、装着部２０の上面２３及び端部２２と交差する面を、本発明では、「側面２７」と呼ぶ。これらカセットブロック２ａ，２ｂは、開口部３ａから矢印Ｙ方向に沿ってケース３内に挿入される。
【００２５】
また、カセットブロック２ａには、電源ケーブル６ａ，６ｂ，６ｃに接続されたＬＡ端子５を取り付ける端子取付部１０が設けられている。端子取付部１０は、装着部２０の上面２３に重ねられたバスバ８の一部と、上面２３から突出し、前記バスバ８の一部に設けられた貫通穴を通されたボルト９と、で構成されている。端子取付部１０は、ＬＡ端子５の相手側接続部５１が前記バスバ８の一部に重ねられた状態で、相手側接続部５１に設けられた貫通穴を通されたボルト９にナット１６が螺合されることにより、ＬＡ端子５を取り付ける。
【００２６】
上記係止構造９０は、図３〜図５に示すように、ケース３の側壁３１の内面に設けられた係止突起３８と、カセットブロック２ｂの側壁３１と相対する側面２７に設けられ、カセットブロック２ｂがケース３に収容されることにより係止突起３８に係止する係止アーム２５と、係止アーム２５から延設された検知棒２６と、カセットブロック２ｂの側面２７に設けられた一対の摺動部２４と、ケース３の側壁３１の内面に設けられ、一対の摺動部２４を矢印Ｙ方向に移動自在に収容する一対のレール３７と、を備えている。
【００２７】
上記係止アーム２５は、カセットブロック２ｂの側面２７から上面２３側に片持ち板状に延びたアーム部２５ａと、アーム部２５の先端から側面２７と反対側に突出し、係止突起３８に引っ掛かる、即ち係止する、突起部２５ｂと、を備えている。このような係止アーム２５は、カセットブロック２ｂが開口部３ａから矢印Ｙ方向に沿ってケース３内に挿入されることにより、アーム部２５ａが側面２７側に一旦弾性変形して係止突起３８を乗り越え、その後、アーム部２５ａが弾性変形する前の状態に復元することで突起部２５ｂが係止突起３８に係止する。
【００２８】
上記検知棒２６は、アーム部２５ａの先端からカセットブロック２ｂの上面２３側に棒状に延設されている。また、検知棒２６は、その傾き状態を作業員が視認できるように、上面２３よりも突出している。また、図５〜図７中の二点鎖線Ｃは、上面２３から延長された仮想平面を表している。即ち、検知棒２６は、カセットブロック２ｂの側面２７の開口部３ａ側の端部よりも突出している。また、この検知棒２６は、アーム部２５ａが弾性変形していない状態、及び、図５に示すように係止突起３８と係止アーム２５とが完全に係止している場合には側面２７と平行になり、図７に示すように係止突起３８と係止アーム２５とが不完全係止して、アーム部２５ａが弾性変形している場合には側面２７に対して傾くように構成されている。
【００２９】
また、本発明では、係止アーム２５が係止突起３８を乗り越える位置まで押し込まれておらず、突起部２５ｂが係止突起３８に引っ掛かっていない状態を、「係止突起３８と係止アーム２５とが不完全係止している」と表現する。
【００３０】
上記一対の摺動部２４は、図４に示すように、カセットブロック２ｂの側面２７から互いに間隔をあけて突出した一対の第１摺動部２４ａと、一対の第１摺動部２４ａの側面２７から離れた端部各々から互いに離れる方向に延びた一対の第２摺動部２４ｂと、を備えている。また、これら一対の摺動部２４は、互いの間に係止アーム２５を位置付ける位置に設けられている。
【００３１】
上記一対のレール３７は、図４に示すように、ケース３の側壁３１の内面から互いに間隔をあけて突出し、一対の摺動部２４の内側に位置付けられる一対の内側レール３５と、ケース３の側壁３１の内面から互いに間隔をあけて突出し、一対の摺動部２４の外側に位置付けられる一対の外側レール３６と、を備えている。また、一対の外側レール３６は、側壁３１の内面から互いに間隔をあけて突出した一対の第１外側レール３６ａと、一対の第１外側レール３６ａの側壁３１から離れた端部各々から互いに離れる方向に延びた一対の第２外側レール３６ｂと、を備えている。
【００３２】
上述した一対の摺動部２４は、各第１摺動部２４ａが、各内側レール３５と各第２外側レール３６ｂとの間に位置付けられ、各第２摺動部２４ｂが、各内側レール３５と各第１外側レール３６ａとの間に位置付けられた状態で、一対のレール３７内に矢印Ｙ方向に移動自在に収容される。
【００３３】
上記構成の係止構造９０は、一対の摺動部２４が一対のレール３７内を矢印Ｙ方向に摺動することにより、カセットブロック２ｂを矢印Ｙ方向に沿ってケース３の開口部３ａから底壁３０側に真っ直ぐに案内するとともに、カセットブロック２ｂの矢印Ｘ方向，矢印Ｚ方向の移動を規制する。また、係止アーム２５が係止突起３８に係止することにより、カセットブロック２ｂの矢印Ｙ方向の移動を規制する。
【００３４】
さらに、係止構造９０は、検知棒２６が、その傾き状態で係止突起３８と係止アーム２５との係止状態を示す。即ち、検知棒２６は、係止突起３８と係止アーム２５とが完全に係止している場合には、図５、図６に示すように側面２７と平行になり、係止突起３８と係止アーム２５とが不完全係止してアーム部２５ａが弾性変形している場合には、図７に示すように側面２７に対して傾く。
【００３５】
このように、本発明によれば、電気接続箱１が係止構造９０を備えているので、作業者は、カセットブロック２ｂをケース３内に収容した後、検知棒２６の傾き状態を目視することで係止突起３８と係止アーム２５との係止状態を検知することができる。
【００３６】
さらに、ケース３の側壁３１には、当該側壁３１の開口部３ａ側の縁から凹に形成され、ケース３の外側から検知棒２６を視認可能にした切り欠き３９が設けられている。このことにより、作業者は、検知棒２６の傾き状態をケース３の外側から目視することができ、係止突起３８と係止アーム２５との係止状態をさらに容易に検知することができる。
【００３７】
さらに、本発明の係止構造９０においては、上述したように検知棒２６の傾き状態を目視することで係止突起３８と係止アーム２５との係止状態を検知する以外に、図６及び図７に示すように、チェッカー９１を用いて係止突起３８と係止アーム２５との係止状態を検知することも可能である。
【００３８】
このチェッカー９１は、図６、図７に示すように、カセットブロック２ｂがケース３内に収容された状態でケース３に近付けられた際に、係止突起３８と係止アーム２５とが完全に係止している場合のみ検知棒２６に押圧されるスイッチ９２を備えている。即ち、係止突起３８と係止アーム２５とが完全に係止している場合には、検知棒２６が側面２７と平行になることから、この検知棒２６の先端でスイッチ９２が押圧されて、係止突起３８と係止アーム２５とが完全に係止していることが検知される。また、係止突起３８と係止アーム２５とが不完全係止している場合には、検知棒２６が側面２７に対して傾くことから、検知棒２６の先端がスイッチ９２から逸れて、係止突起３８と係止アーム２５とが不完全係止していることが検知される。
【００３９】
本発明においては、係止突起３８と係止アーム２５との係止状態の検知を確実に行うために、上述した作業員の目視による検知と、チェッカー９１を用いた検知とを併用することも可能である。
【００４０】
また、上述した実施形態では、「係止構造９０」を備えた電気接続箱１を例に挙げて説明したが、本発明の「係止構造」は、電気接続箱以外の物品に用いても良い。また、上述した実施形態では、「ブロック体」として、カセットブロック２ｂを例に挙げて説明したが、本発明の「ブロック体」は、カセットブロック２ｂに限らず、電子ユニット等、ケースに収容されるブロック状のものであれば如何なるものであっても良い。
【００４１】
また、上述した実施形態では、係止突起３８がケース３の側壁３１に設けられ、係止アーム２５がカセットブロック２ｂの側面２７に設けられている例を説明したが、本発明の「係止構造」においては、係止突起３８がカセットブロック２ｂの側面２７に設けられ、係止アーム２５がケース３の側壁３１に設けられていても良い。
【００４２】
また、上述した実施形態では、係止突起３８がケース３の側壁３１に設けられていたが、本発明の「係止構造」においては、図８に示すように、前記係止突起３８がケース１０３の仕切り壁１３０に設けられていても良い。前記「仕切り壁１３０」とは、ケース１０３の内部を複数の空間に仕切った壁である。即ち、本発明の「係止構造」においては、係止突起３８が側壁３１に設けられていても良いし、仕切り壁１３０に設けられていても良い。また、係止突起３８が側壁３１と仕切り壁１３０の双方に設けられていても良い。また、係止突起３８ではなく係止アーム２５が仕切り壁１３０に設けられていても良い。
【００４３】
また、上述した実施形態では、「係止構造９０」が、一対の摺動部２４及び一対のレール３７を備えていたが、本発明の「係止構造」は、必ずしもこれらを備えていなくても良く、少なくとも、係止突起３８と、係止アーム２５と、検知棒２６と、を備えていれば良い。
【００４４】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４５】
１  電気接続箱
２ｂ  カセットブロック（ブロック体）
３  ケース
３ａ  開口部
２５  係止アーム
２６  検知棒
２７  側面
３１  側壁
３８  係止突起
３９  切り欠き
９０  係止構造
１３０  仕切り壁
【図１】
2011234484.tif 000003
【図２】
2011234484.tif 000004
【図３】
2011234484.tif 000005
【図４】
2011234484.tif 000006
【図５】
2011234484.tif 000007
【図６】
2011234484.tif 000008
【図７】
2011234484.tif 000009
【図８】
2011234484.tif 000010
【図９】
2011234484.tif 000011